(57)【特許請求の範囲】
【請求項１】
第１の無線装置から第２の無線装置にデータを通信する方法において、前記方法が、
第１の複数のデータビットから第１のデータパケットを生成するのに第１のインタリーブスキーム及び第１のサブキャリアマッピングスキームの少なくとも一方を採用するステップ、
前記第１のデータパケットを前記第２の無線装置に送信するステップ、並びに
前記第１のデータパケットが前記第２の無線装置により正しく受信されない場合に、
前記第１の複数のデータビットから第２のデータパケットを作成するのに第２のインタリーブスキーム及び第２のサブキャリアマッピングスキームの少なくとも一方を採用するステップ、及び
前記第２のデータパケットを前記第２の無線装置に送信するステップ、
を有し、
前記方法が、前記第１のデータパケット及び第２のデータパケットに、それぞれのデータパケットを生成するのに採用されたインタリーブスキーム及び／又はサブキャリアマッピングスキームを示す送信モード情報を含めるステップを有し、
前記送信モード情報を含めるステップは、送信モードに対応するユニーク署名シーケンスを前記第１のデータパケット及び前記第２のデータパケットのプリアンブル部分に含ませる、又は、前記送信モード情報を送信パケットのヘッダ部分の送信モードフィールドに含ませる、
方法。
【請求項２】
前記第１のデータパケットを符号化するステップと、
前記第１のデータパケットが前記第２の無線装置により正しく受信されない場合に、
前記第１のデータパケットを符号化するのに使用したのと同じ符号化スキームを使用して前記第２のデータパケットを符号化するステップと、
を有する請求項１に記載の方法。
【請求項３】
前記第１のインタリーブスキーム及び前記第１のサブキャリアマッピングスキームの両方が、前記第１の複数のデータビットから前記第１のデータパケットを生成するのに採用され、前記第１のインタリーブスキーム及び前記第２のサブキャリアマッピングスキームが、前記第１の複数のデータビットから前記第２のデータパケットを生成するのに採用される、請求項１に記載の方法。
【請求項４】
前記第１のインタリーブスキーム及び前記第１のサブキャリアマッピングスキームの両方が、前記第１の複数のデータビットから前記第１のデータパケットを生成するのに採用され、前記第２のインタリーブスキーム及び前記第１のサブキャリアマッピングスキームが、前記第１の複数のデータビットから前記第２のデータパケットを生成するのに採用される、請求項１に記載の方法。
【請求項５】
前記第１のインタリーブスキーム及び前記第１のサブキャリアマッピングスキームの両方が、前記第１の複数のデータビットから前記第１のデータパケットを生成するのに採用され、前記第２のインタリーブスキーム及び前記第２のサブキャリアマッピングスキームが、前記第１の複数のデータビットから前記第２のデータパケットを生成するのに採用される、請求項１に記載の方法。
【請求項６】
第２の無線装置において第１の無線装置からのデータを受信する方法において、前記方法が、
第１の複数のデータビットから生成された第１のデータパケットを前記第１の無線装置から受信するステップ、
前記第１のデータパケットから、前記第１のデータパケットを生成するのに採用されたインタリーブスキーム及び／又はサブキャリアマッピングスキームを示す第１の送信モード情報を取り出すステップと、
前記第１のデータパケットから第２の複数のデータビットを作成するのに前記第１の送信モード情報にしたがって第１のデインタリーブスキーム及び第１のサブキャリアデマッピングスキームの少なくとも一方を採用するステップ、並びに
前記第１のデータパケットが正しく受信されない場合に、
前記第１の複数のデータビットから生成された第２のデータパケットを前記第１の無線装置から受信するステップ、
前記第２のデータパケットから、前記第２のデータパケットを生成するのに採用されたインタリーブスキーム及び／又はサブキャリアマッピングスキームを示す第２の送信モード情報を取り出すステップ、及び
前記第２のデータパケットから第３の複数のデータビットを生成するのに前記第２の送信モード情報にしたがって第２のデインタリーブスキーム及び第２のサブキャリアデマッピングスキームの少なくとも一方を採用するステップ、
を有し、
前記第１の送信モード情報を取り出すステップは、第１の送信モードに対応するユニーク署名シーケンスを前記第１のデータパケットのプリアンブル部分から取り出す、又は、送信パケットのヘッダ部分の送信モードフィールドに含まれる前記第１の送信モード情報を取り出すものであり、
前記第２の送信モード情報を取り出すステップは、第２の送信モードに対応するユニーク署名シーケンスを前記第２のデータパケットのプリアンブル部分から取り出す、又は、送信パケットのヘッダ部分の送信モードフィールドに含まれる前記第２の送信モード情報を取り出すものである、
方法。
【請求項７】
前記第１のデータパケットを復号するステップと、
前記第１のデータパケットが正しく受信されない場合に、
前記第１のデータパケットを復号するのに使用されたのと同じ復号スキームを使用して前記第２のデータパケットを復号するステップと、
を有する請求項６に記載の方法。
【請求項８】
前記第１のデインタリーブスキーム及び前記第１のサブキャリアデマッピングスキームの両方が、前記第１のデータパケットから前記第２の複数のデータビットを生成するのに採用され、前記第１のデインタリーブスキーム及び前記第２のサブキャリアデマッピングスキームが、前記第２のデータパケットから前記第３の複数のデータビットを生成するのに採用される、請求項６に記載の方法。
【請求項９】
前記第１のデインタリーブスキーム及び前記第１のサブキャリアデマッピングスキームの両方が、前記第１のデータパケットから前記第２の複数のデータビットを生成するのに採用され、前記第２のデインタリーブスキーム及び前記第１のサブキャリアデマッピングスキームが、前記第２のデータパケットから前記第３の複数のデータビットを生成するのに採用される、請求項６に記載の方法。
【請求項１０】
前記第１のデインタリーブスキーム及び前記第１のサブキャリアデマッピングスキームの両方が、前記第１のデータパケットから前記第２の複数のデータビットを生成するのに採用され、前記第２のデインタリーブスキーム及び前記第２のサブキャリアデマッピングスキームが、前記第２のデータパケットから前記第３の複数のデータビットを生成するのに採用される、請求項６に記載の方法。
【請求項１１】
第１の複数のデータビットから第１のデータパケットを作成するのに第１のインタリーブスキーム及び第１のサブキャリアマッピングスキームの少なくとも一方を採用し、前記第１のデータパケットを作成するのに採用されたインタリーブスキーム及び／又はサブキャリアマッピングスキームを示す第１の送信モード情報を前記第１のデータパケットに含め、前記第１のデータパケットを第２の無線装置に送信する送信器を含む無線装置において、
前記第１のデータパケットが前記第２の無線装置により成功裏に受信されない場合に、前記送信器が、前記第１の複数のデータビットから第２のデータパケットを作成するのに第２のインタリーブスキーム及び第２のサブキャリアマッピングスキームの少なくとも一方を採用し、前記第２のデータパケットを作成するのに採用されたインタリーブスキーム及び／又はサブキャリアマッピングスキームを示す第２の送信モード情報を前記第２のデータパケットに含め、前記第２のデータパケットを前記第２の無線装置に送信し、
前記第１の送信モード情報は、第１の送信モードに対応するユニーク署名シーケンスを前記第１のデータパケットのプリアンブル部分に含まれる、又は、送信パケットのヘッダ部分の送信モードフィールドに含まれ、
前記第２の送信モード情報は、第２の送信モードに対応するユニーク署名シーケンスを前記第２のデータパケットのプリアンブル部分に含まれる、又は、送信パケットのヘッダ部分の送信モードフィールドに含まれる、
装置。
【請求項１２】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第１のインタリーブスキーム及び前記第２のサブキャリアマッピングスキームを採用する、請求項１１に記載の装置。
【請求項１３】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第２のインタリーブスキーム及び前記第１のサブキャリアマッピングスキームを採用する、請求項１１に記載の装置。
【請求項１４】
前記送信器が、前記第１の複数のデータビットから前記第１のデータパケットを生成するのに前記第１のインタリーブスキーム及び前記第１のサブキャリアマッピングスキームの両方を採用し、前記送信器が、前記第１の複数のデータビットから前記第２のデータパケットを生成するのに前記第２のインタリーブスキーム及び前記第２のサブキャリアマッピングスキームを採用する、請求項１１に記載の装置。
【請求項１５】
第１の複数のデータビットから生成された第１のデータパケットを第１の無線装置から受信する受信器を含む無線装置において、前記受信器が、前記第１のデータパケットから、前記第１のデータパケットを生成するのに採用されたインタリーブスキーム及び／又はサブキャリアマッピングスキームを示す第１の送信モード情報を取り出し、前記第１のデータパケットから第２の複数のデータビットを作成するのに前記第１の送信モード情報にしたがって第１のデインタリーブスキーム及び第１のサブキャリアデマッピングスキームの少なくとも一方を採用し、
前記第１のデータパケットが正しく受信されない場合に、前記受信器が、前記第１の複数のデータビットから生成された第２のデータパケットを前記第１の無線装置から受信し、前記第２のデータパケットから、前記第２のデータパケットを生成するのに採用されたインタリーブスキーム及び／又はサブキャリアマッピングスキームを示す第２の送信モード情報を取り出し、前記第２のデータパケットから第３の複数のデータビットを生成するのに前記第２の送信モード情報にしたがって第２のデインタリーブスキーム及び第２のサブキャリアデマッピングスキームの少なくとも一方を採用し、
前記第１の送信モード情報の取り出しは、第１の送信モードに対応するユニーク署名シーケンスを前記第１のデータパケットのプリアンブル部分から取り出す、又は、送信パケットのヘッダ部分の送信モードフィールドに含まれる前記第１の送信モード情報を取り出すものであり、
前記第２の送信モード情報の取り出しは、第２の送信モードに対応するユニーク署名シーケンスを前記第２のデータパケットのプリアンブル部分から取り出す、又は、送信パケットのヘッダ部分の送信モードフィールドに含まれる前記第２の送信モード情報を取り出すものである、
装置。
【請求項１６】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第１のデインタリーブスキーム及び前記第２のサブキャリアデマッピングスキームを採用する、請求項１５に記載の装置。
【請求項１７】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第２のデインタリーブスキーム及び前記第１のサブキャリアデマッピングスキームを採用する、請求項１５に記載の装置。
【請求項１８】
前記受信器が、前記第１のデータパケットから前記第２の複数のデータビットを生成するのに前記第１のデインタリーブスキーム及び前記第１のサブキャリアデマッピングスキームの両方を採用し、前記受信器が、前記第２のデータパケットから前記第３の複数のデータビットを生成するのに前記第２のデインタリーブスキーム及び前記第２のサブキャリアデマッピングスキームを採用する、請求項１５に記載の装置。
【発明の詳細な説明】
【技術分野】
【０００１】
米国特許法35 USC §119(e)の下の優先権の請求が、２００８年１月２９日に出願された米国特許仮出願61/024316に対して行われる。
【０００２】
本発明は、無線通信の分野に関し、より具体的には、パケット再送信及び受信の方法並びに同方法を採用する無線装置に関する。
【背景技術】
【０００３】
現在の無線システム／技術の多くは、自動再送要求（ＡＲＱ）機構を使用してデータパケットの受信の成功の確率を向上させる。
【０００４】
これらのシステムにおいて、ＡＲＱがイネーブルである場合、同じパケットが再送信されるか又は異なって符号化されたパケットが送信されるかのいずれかである。これら両方の方法は、特定の欠点を持つ。
【０００５】
同じパケットが再送信される場合、これは、ダイバーシティ利得を提供せず、特にチャネルがゆっくりと変化する場合、元のパケットがエラーとともに受信された場合に再送信されたパケットもエラーである可能性が高い。この問題を克服するために、既存のプロトコルは、受信成功の確率を向上させるために特定数の再試行の後により低いデータレートを使用する。しかしながら、この方法は、システムの全体的なスループットを減少させる。
【０００６】
再送信スキームの有効性を向上させる他の方法は、再送信されるパケットを符号化するのに異なる符号化スキームを使用することを含む。異なる符号化スキーム（及び復号スキーム）の使用は、追加の複雑さを生じ、多くの場合に魅力的ではない。
【発明の概要】
【発明が解決しようとする課題】
【０００７】
したがって、ある程度のロバスト性を提供するが、データの最初の送信と前記データの再送信との間で異なるエラー訂正符号化スキームを採用するシステムより低い複雑さを要求するデータの再送信の方法を提供することが望ましい。このような方法を使用して送信及び再送信されたデータを受信する方法を提供することも望ましい。更に、このような送信及び受信の方法を採用することができる無線装置を提供することが望ましい。
【課題を解決するための手段】
【０００８】
本発明の一態様において、第１の無線装置から第２の無線装置にデータを通信する方法が提供される。前記方法は、第１の複数のデータビットから第１のデータパケットを生成するのに第１のインタリーブスキーム及び第１のサブキャリアマッピングスキームの少なくとも一方を採用するステップと、前記第１のデータパケットを前記第２の無線装置に送信するステップとを有する。前記第１のデータパケットが、前記第２の無線装置により正しく受信されない場合、前記方法は、前記第１の複数のデータビットから第２のデータパケットを作成するのに第２のインタリーブスキーム及び第２のサブキャリアマッピングスキームの少なくとも一方を採用するステップと、前記第２のデータパケットを前記第２の無線装置に送信するステップとを更に有する。
【０００９】
本発明の他の態様において、第２の無線装置において第１の無線装置からのデータを受信する方法が提供される。前記方法は、前記第１の無線装置から、第１の複数のデータビットから生成された第１のデータパケットを受信するステップと、前記第１のデータパケットから第２の複数のデータビットを作成するのに第１のデインタリーブスキーム及び第２のサブキャリアデマッピングスキームの少なくとも一方を採用するステップとを有する。前記第１のデータパケットが正しく受信されない場合、前記方法は、前記第１の無線装置から、前記第１の複数のデータビットから生成された第２のデータパケットを受信するステップと、前記第２のデータパケットから第３の複数のデータビットを生成するのに第２のデインタリーブスキーム及び第２のサブキャリアデマッピングスキームの少なくとも一方を採用するステップとを更に有する。
【００１０】
本発明の更に他の態様において、無線装置は、送信器を含む。前記送信器は、第１の複数のデータビットから第１のデータパケットを作成するのに第１のインタリーブスキーム及び第１のサブキャリアマッピングスキームの少なくとも一方を採用し、前記第１のデータパケットを第２の無線装置に送信する。前記第１のデータパケットが、前記第２の無線装置により成功裏に受信されない場合、前記送信器は、前記第１の複数のデータビットから第２のデータパケットを作成するのに第２のインタリーブスキーム及び第２のサブキャリアマッピングスキームの少なくとも一方を採用し、前記第２のデータパケットを前記第２の無線装置に送信する。
【００１１】
本発明の更に他の態様において、無線装置は、受信器を含む。前記受信器は、前記第１の無線装置から、第１の複数のデータビットから生成された第１のデータパケットを受信する。前記受信器は、前記第１のデータパケットから第２の複数のデータビットを作成するのに第１のデインタリーブスキーム及び第１のサブキャリアデマッピングスキームの少なくとも一方を採用する。前記第１のデータパケットが正しく受信されない場合、前記受信器は、前記第１の無線装置から、前記第１の複数のデータビットから生成された第２のデータパケットを受信し、前記第２のデータパケットから第３の複数のデータビットを生成するのに第２のデインタリーブスキーム及び第２のサブキャリアデマッピングスキームの少なくとも一方を採用する。
【図面の簡単な説明】
【００１２】
【図１】無線装置の一実施例の機能的ブロック図である。
【図２】データ送信器の一実施例の単純化されたブロック図を示す。
【図３】直交周波数分割多重（ＯＦＤＭ）システムにおいてデータパケットを送信するサブキャリアマッピングスキームの一実施例を示す。
【図４】ＯＦＤＭシステムにおいてデータパケットを再送信するサブキャリアマッピングスキームの一実施例を示す。
【図５】第１のマルチパスチャネルにおける様々なパケット再送信オプションに対するシミュレートされたパケットエラーレート（ＰＥＲ）対信号対雑音比（ＳＮＲ）曲線を示す。
【図６】第２のマルチパスチャネルにおける様々なパケット再送信オプションに対するシミュレートされたＰＥＲ対ＳＮＲ曲線を示す。
【発明を実施するための形態】
【００１３】
図１は、無線装置１００の機能的ブロック図である。当業者により理解されるように、図１に示される様々な"部分"の１以上は、ソフトウェア制御マイクロプロセッサ、配線論理回路、又はこれらの組み合わせを使用して物理的に実装されることができる。また、前記部分は、説明目的で図１において機能的に分離されるが、これらは、物理的実装において様々に組み合わせられることができる。
【００１４】
無線装置１００は、送受信器１１０、プロセッサ１２０、メモリ１３０、及び指向性アンテナシステム１４０を含む。
【００１５】
送受信器１１０は、受信器１１２及び送信器１１４を含み、他の無線装置と通信する無線装置１００の機能を提供する。
【００１６】
プロセッサ１２０は、無線装置１００の機能を提供するようにメモリ１３０と連動して１以上のソフトウェアアルゴリズムを実行する。有益には、プロセッサ１２０は、無線装置１００の様々な機能を実行することを可能にする実行可能ソフトウェアコードを記憶する独自のメモリ（例えば、不揮発性メモリ）を含む。代わりに、前記実行可能コードは、メモリ１３０内の指定されたメモリ場所に記憶されてもよい。
【００１７】
有益には、アンテナシステム１４０は、全方位性能及び／又は指向性アンテナ性能を含むことができる。
【００１８】
一実施例において、第１の無線装置の送信器は、データセットの全ての送信に対してデータを符号化するのに同じエラー訂正符号化スキームを採用しながら、前記データセットの異なる送信に対して異なるインタリーブ（ビット及び／又はシンボル）及び／又はサブキャリアマッピングスキームを採用することにより第２の無線装置に前記データセットを送信する。すなわち、前記送信器は、第１の（元の）データパケットにおいて第１のデータビットのセットを送信する場合に第１のインタリーブスキーム及び第１のサブキャリアマッピングスキームの少なくとも一方を採用し、第２の（再送信）データパケットにおいて前記第１のデータビットのセットを送信する場合に第２のインタリーブスキーム及び第２のサブキャリアマッピングスキームの少なくとも一方を採用する。有益には、このスキームは、デコーダの複雑さを大幅に増大させることなしに追加の周波数ダイバーシティを提供することができる。有益には、このスキームは、図１の無線装置１００内の送信器１１４により採用されることができる。
【００１９】
図２は、送信器２００の一実施例の単純化されたブロック図を示す。一実施例において、送信器２００は、図１の送信器１１４と同じものであることができる。
【００２０】
図２において、パラメータ"パケットタイプ"は、採用されるインタリーブ及び／又はマッピングスキームの特定の組み合わせに対するユニークポインタを規定する。前記"パケットタイプ"パラメータが、元のパケットが符号化されていることを示す場合、前記送信器は、インタリーブ及び／又はマッピングスキームの１つの組み合わせを採用することができる。他方で、前記"パケットタイプ"パラメータが、前記データが再送信されることを示す場合、前記送信器は、インタリーブ及びマッピングの他の組み合わせを採用することができる。例えば、前記送信器が２つの異なるインタリーブスキーム及び２つの異なるマッピングスキームを採用するように構成されると仮定すると、前記"パケットタイプ"パラメータの１つの可能な規定は、下の表１において示される。
【表１】
0005676274.tif 000002
【００２１】
同じデータの複数の送信に対する符号化が、異なるビットインタリーブ及び／又はサブキャリアマッピングスキームを使用する場合、前記受信器は、性能を向上させるために複数の受信を組み合わせることができる。
【００２２】
受信器は、ペイロード情報を復号するために'（再）送信モード'を決定しなければならない。'（再）送信モード'情報は、様々な異なる方法を使用して前記送信器により前記受信器に搬送されることができる。２つのこのような方法は、（１）ユニーク署名シーケンス及び（２）ヘッダ内の'（再）送信モード'フィールドを含む。
【００２３】
前記第１の方法は、プリアンブル部分における前記異なる（再）送信モードに対応するユニーク署名シーケンスの送信を含む。これは、前記ヘッダ及び前記ペイロードが同じスキームを使用して送信されるので、最大の利得を提供する。このスキームの欠点は、前記受信器が全ての署名シーケンスに対して前記受信された信号を相関させなければならないので、受信器の複雑さを増大することである。
【００２４】
前記第２の方法は、前記ヘッダにおいて前記'（再）送信モード'フィールドを送信することを含む。このスキームの利点は、上記のユニーク署名シーケンスに関連した受信器の複雑さを避けることである。前記ヘッダは、常に所定のスキームを使用して送信されるのに対し、前記ペイロードは、前記'（再）送信モード'フィールドにより決定されるように異なるスキームを使用して送信される。結果として、前記ヘッダフィールドは、提案された方法の利益を最大化することができず、したがって、この方法は、幾らかの性能損失を持つ。しかしながら、ヘッダは、通常は、性能損失が重大でないようにペイロード対応部分よりロバストなレートで符号化される。
【００２５】
これらの原理のより良い理解を容易にするために、典型的な場合がここに記載される。
【００２６】
第一に、１０４のサブキャリアがデータサブキャリアとして規定される１２８のサブキャリアを持つＯＦＤＭシステムを考慮する。全ての符号化されたデータビットは、単一のＯＦＤＭシンボル内のビット数NCBPSに対応するブロックサイズを持つブロックインタリーバによりインタリーブされる。前記インタリーバは、隣接した符号化されたビットが、非隣接サブキャリア上にマッピングされることを保証する。
【００２７】
前記インタリーバの前の符号化ビットのインデックスをkにより示し、変調マッピングの直前の、前記インタリーバの後の符号化ビットのインデックスをiにより示す。この場合、インタリーバスキーム＃１は、ルール、すなわち、
（１）i=(NCBPS/13)(k mod 13)+floor(k/13)  k=0,1,...,NCBPS-1
により規定されることができる。
関数floor(.)は、パラメータを超過しない最大の整数を示す。
同時に、インタリーバスキーマ＃２は、ルール、すなわち、
（２）i=(NCBPS/8)(k mod 8)+floor(k/8)  k=0,1,...,NCBPS-1
により規定されることができる。
前記受信器において、異なるパケット送信に対するソフトメトリクスは、記憶され、元のデータを最適に復号するために畳み込みデコーダにおいて結合されることができる。
【００２８】
図３は、１２８のサブキャリアを持つ直交周波数分割多重（ＯＦＤＭ）システムにおいて第１のデータパケットにおいてデータを送信するサブキャリアマッピングスキーム３００の一実施例を示す。コンプレックスデータシンボルは、スキーム＃１を使用して、下方帯域端における最初のものから開始するデータサブキャリアにマッピングされる。前記受信器において、前記コンプレックスデータは、
0005676274.tif 000003
と示されるように受信されたシンボルから回復され、ここでmはkの関数であり、m=f(k)である。Rk及び
0005676274.tif 000004
は、サブキャリアkに対する受信されたシンボル及びチャネル周波数応答推定をそれぞれ表す。
【００２９】
例えば、
0005676274.tif 000005
及び
0005676274.tif 000006
である。
【００３０】
図４は、ＯＦＤＭシステムにおいて第２のデータパケットにおいてデータを再送信するサブキャリアマッピングスキーム４０の一実施例を示す。この場合、前記コンプレックスデータは、
0005676274.tif 000007
として前記受信されたシンボルから回復され、ここでm'はkの関数であり、m'=f(1)(k)である。
【００３１】
このマッピングスキームにおいて、
0005676274.tif 000008
及び
0005676274.tif 000009
である。
【００３２】
前記受信器が、前記第１の（元の）データパケットからのシンボル及び前記第２の（再送信された）データパケットからのシンボルを結合することができる場合、
0005676274.tif 000010
であり、ここでR1,k及びR2,kは、それぞれ、前記第１のデータパケット及び前記第２のデータパケット内の受信されたシンボルを表す。
【００３３】
例えば、上の例において、
0005676274.tif 000011
及び
0005676274.tif 000012
である。
【００３４】
式（５）に示されるように２つのシンボルを結合することは、前記システムの周波数ダイバーシティを向上させる。しかしながら、このスキームは、前記受信器が以前の送信からのパケットを記憶することを要求し、したがって追加のハードウェアリソースを伴う。代わりに、前記受信器は、前記元のパケット及び前記再送信されたパケットからの対応するソフトビットメトリクスを結合し、前記畳み込みデコーダにおいて使用することもできる。
【００３５】
現在の再送信スキームを用いる提案されたスキームの性能は、シミュレーションを通して比較される。後に続くシミュレーション結果において、１２８のサブキャリアを持つＯＦＤＭシステムが仮定される。ＦＥＣは、異なる高いレートコードを得るようにパンクチャされたレート１／２畳み込みコードを含む。ビットインタリーバは、符号化ビットをインタリーブするのに使用され、前記符号化ビットは、１６−ＱＡＭ又は６４−ＱＡＭ変調スキームのいずれかを使用してマッピングされる。マルチパスチャネルは、ＲＭＳ遅延拡散に基づいて得られたタップ数を持つ指数関数的レイリーフェージングモデルに基づく。前記受信器は、利得を最大化するために最適な結合スキームを使用する。
【００３６】
図５は、１００ｎｓＲＭＳ遅延拡散を持つ第１のマルチパスチャネルにおいてレート５／６の６４−ＱＡＭモードを採用するシステムに対する様々なパケット再送信オプションに対するシミュレートされたパケットエラーレート（ＰＥＲ）対信号対雑音比（ＳＮＲ）曲線を示す。修正されたシンボルマッピング及びビットマッピング（インタリーブ）を用いる提案されたスキームが、同じパケットを再送信するのと比較して４％ＰＥＲに対してそれぞれ３．０ｄＢ及び４．５ｄＢの追加の利得を提供することが観測されることができる。
【００３７】
図６は、１０ｎｓＲＭＳ遅延拡散を持つ第２のマルチパスチャネルにおける様々なパケット再送信オプションに対するシミュレートされたＰＥＲ対ＳＮＲを示す。修正されたビットマッピングスキームが、このチャネルにおいてでさえ１％ＰＥＲにおいて１ｄＢ利得を提供することが観測されることができる。
【００３８】
好適な実施例がここに開示されるが、本発明の概念及び範囲内に留まる多くのこのような変形例が可能である。このような変形例は、本明細書、図面及び請求項の閲覧の後に当業者に明らかになる。本発明は、したがって、添付の請求項の精神及び範囲内を除き、限定されるべきでない。
【図１】
0005676274.tif 000013
【図２】
0005676274.tif 000014
【図３】
0005676274.tif 000015
【図４】
0005676274.tif 000016
【図５】
0005676274.tif 000017
【図６】
0005676274.tif 000018